(57)【特許請求の範囲】
【請求項１】
入力された入力データを、知覚または感覚の程度を表す抽象的な表現である抽象表現とこの抽象表現の度合いを示した抽象表現度合値とによって定義付けられる抽象情報に符号化して出力し、受信した受信側の制御機器が当該抽象情報による抽象表現を表すように制御されることで、当該抽象情報を再構成する抽象情報符号化方法であって、
測定対象を測定した測定データ、テキスト化対象文章をテキスト化したテキストデータの少なくとも一つを前記入力データとして入力する入力ステップと、
前記抽象表現度合値がゼロとなる基準点を備え、この基準点から前記抽象表現の抽象表現度合値が一端方向に増加すると共に当該抽象表現と対極の関係となる対極抽象表現の抽象表現度合値が前記基準点から他端方向に増加する符号化軸上で、
前記入力ステップにおいて入力された測定データを、前記抽象表現および前記対極抽象表現を示すラベル並びに前記測定データを前記抽象表現度合値として含む抽象情報に符号化するか、
または、前記入力ステップにおいて入力されたテキストデータを、前記抽象表現および前記対極抽象表現を示すラベル並びに前記テキストデータを前記抽象表現度合値として含む抽象情報に符号化するか、
または、前記入力ステップにおいて入力された測定データまたはテキストデータを、前記抽象表現および前記対極抽象表現を示すラベルであって受信側で用意されて送信側と共有されたデフォルト値を前記抽象表現度合値として指定するためのラベルを含む抽象情報に符号化するか
のいずれかの符号化を、前記ラベルの内容に従って、入力されたデータを抽象情報に符号化するためのテーブルにより行う符号化ステップと、
この符号化ステップにおいて符号化された抽象情報を出力する出力ステップと、
を含むことを特徴とする抽象情報符号化方法。
【請求項２】
入力された入力データを、知覚または感覚の程度を表す抽象的な表現である抽象表現とこの抽象表現の度合いを示した抽象表現度合値とによって定義付けられる抽象情報に符号化して出力し、受信した受信側の制御機器が当該抽象情報による抽象表現を表すように制御されることで、当該抽象情報を再構成する抽象情報符号化装置であって、
測定対象を測定した測定データ、テキスト化対象文章をテキスト化したテキストデータの少なくとも一つのデータを前記入力データとして入力する入力手段と、
前記抽象表現度合値がゼロとなる基準点を備え、この基準点から前記抽象表現の抽象表現度合値が一端方向に増加すると共に当該抽象表現と対極の関係となる対極抽象表現の抽象表現度合値が前記基準点から他端方向に増加する符号化軸上で、
前記入力手段で入力された測定データを、前記抽象表現および前記対極抽象表現を示すラベル並びに前記測定データを前記抽象表現度合値として含む抽象情報に符号化するか、
または、前記入力手段で入力されたテキストデータを、前記抽象表現および前記対極抽象表現を示すラベル並びに前記テキストデータを前記抽象表現度合値として含む抽象情報に符号化するか、
または、前記入力手段で入力された測定データまたはテキストデータを、前記抽象表現および前記対極抽象表現を示すラベルであって受信側で用意されて送信側と共有されたデフォルト値を前記抽象表現度合値として指定するためのラベルを含む抽象情報に符号化するか
のいずれかの符号化を、前記ラベルの内容に従って、入力されたデータを抽象情報に符号化するためのテーブルにより行う符号化する符号化手段と、
この符号化手段で符号化された抽象情報を出力する出力手段と、
を備えたことを特徴とする抽象情報符号化装置。
【請求項３】
前記抽象情報に基づいた前記抽象表現または前記対極抽象表現によって、前記受信側の視聴者に伝達される雰囲気を表現する時刻を示す再構成時刻情報を前記抽象情報に付加する再構成時刻情報付加手段を備えることを特徴とする請求項２に記載の抽象情報符号化装置。
【請求項４】
入力された入力データを、知覚または感覚の程度を表す抽象的な表現である抽象表現とこの抽象表現の度合いを示した抽象表現度合値とによって定義付けられる抽象情報に符号化して出力し、受信した受信側の制御機器が当該抽象情報による抽象表現を表すように制御されることで、当該抽象情報を再構成するために、コンピュータを、
測定対象を測定した測定データ、テキスト化対象文章をテキスト化したテキストデータの少なくとも一つのデータを前記入力データとして入力する入力手段、
前記抽象表現度合値がゼロとなる基準点を備え、この基準点から前記抽象表現の抽象表現度合値が一端方向に増加すると共に当該抽象表現と対極の関係となる対極抽象表現の抽象表現度合値が前記基準点から他端方向に増加する符号化軸上で、
前記入力手段で入力された測定データを、前記抽象表現および前記対極抽象表現を示すラベル並びに前記測定データを前記抽象表現度合値として含む抽象情報に符号化するか、
または、前記入力手段で入力されたテキストデータを、前記抽象表現および前記対極抽象表現を示すラベル並びに前記テキストデータを前記抽象表現度合値として含む抽象情報に符号化するか、
または、前記入力手段で入力された測定データまたはテキストデータを、前記抽象表現および前記対極抽象表現を示すラベルであって受信側で用意されて送信側と共有されたデフォルト値を前記抽象表現度合値として指定するためのラベルを含む抽象情報に符号化するか
のいずれかの符号化を、前記ラベルの内容に従って、入力されたデータを抽象情報に符号化するためのテーブルにより行う符号化手段、
この符号化手段で符号化された抽象情報を出力する出力手段、
として機能させることを特徴とする抽象情報符号化プログラム。
【請求項５】
請求項１に記載の抽象情報符号化方法で得られた抽象情報に基づいて、制御信号を受信可能な制御機器を制御することで、抽象情報に基づいた前記抽象表現または前記対極抽象表現によって視聴者に伝達される雰囲気を表現する抽象情報再構成方法であって、
前記抽象情報を取得する取得ステップと、
この取得ステップにおいて取得された抽象情報に、前記抽象表現および前記対極抽象表現を示すラベル並びに前記測定データを前記抽象表現度合値として含まれている場合において、
前記抽象表現および前記対極抽象表現を示すラベルおよび前記ラベルの前記符号化軸に関して予め設定された辞書であって前記ラベルで示される抽象表現および対極抽象表現に関する同義語、類義語、反義語、反類義語を含み、前記含まれたそれぞれの語と当該抽象表現および対極抽象表現との間で予め関連づけられた２語間の類似度を含んで構成されている軸変換辞書に含まれているラベルと、前記取得された抽象情報に含まれているラベルとが一致する場合には当該取得された抽象情報に含まれている抽象表現度合値を得て変換結果とし、
または、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語が前記軸変換辞書から検索された場合には前記検索された語に予め関連づけられた類似度を、当該取得された抽象情報に含まれている抽象表現度合値に乗じた値を得て変換結果とし、
または、前記軸変換辞書に送信側と共有されたデフォルト値がさらに予め用意され、かつ、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語のいずれも前記軸変換辞書から検索されなかった場合には前記取得された抽象情報に含まれている抽象表現度合値の代わりに当該デフォルト値を抽象表現度合値として得て変換結果とする符号化軸変換ステップと、
この符号化軸変換ステップで得られた符号化軸および抽象表現度合値を解釈して当該抽象情報を再構成する抽象情報再構成ステップと、
この抽象情報再構成ステップにおける解釈結果に基づいて、前記制御機器を制御する制御信号を生成し、当該制御機器に出力して、前記抽象情報に基づいた前記抽象表現または前記対極抽象表現によって視聴者に伝達される雰囲気を表現する抽象情報表現ステップと、
を含むことを特徴とする抽象情報再構成方法。
【請求項６】
請求項２または請求項３に記載の抽象情報符号化装置で出力された抽象情報に基づいて、制御信号を受信可能な制御機器を制御することで、抽象情報に基づいた前記抽象表現または前記対極抽象表現によって視聴者に伝達される雰囲気を表現する抽象情報再構成装置であって、
前記抽象情報を取得する取得手段と、
この取得手段で取得された抽象情報に、前記抽象表現および前記対極抽象表現を示すラベル並びに前記測定データを前記抽象表現度合値として含まれている場合において、
前記抽象表現および前記対極抽象表現を示すラベルおよび前記ラベルの前記符号化軸に関して予め設定された辞書であって前記ラベルで示される抽象表現および対極抽象表現に関する同義語、類義語、反義語、反類義語を含み、前記含まれたそれぞれの語と当該抽象表現および対極抽象表現との間で予め関連づけられた２語間の類似度を含んで構成されている軸変換辞書に含まれているラベルと、前記取得された抽象情報に含まれているラベルとが一致する場合には当該取得された抽象情報に含まれている抽象表現度合値を得て変換結果とし、
または、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語が前記軸変換辞書から検索された場合には前記検索された語に予め関連づけられた類似度を、当該取得された抽象情報に含まれている抽象表現度合値に乗じた値を得て変換結果とし、
または、前記軸変換辞書に送信側と共有されたデフォルト値がさらに予め用意され、かつ、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語のいずれも前記軸変換辞書から検索されなかった場合には前記取得された抽象情報に含まれている抽象表現度合値の代わりに当該デフォルト値を抽象表現度合値として得て変換結果とする符号化軸変換手段と、
この符号化軸変換手段で得られた符号化軸および抽象表現度合値を解釈して当該抽象情報を再構成する抽象情報再構成手段と、
この抽象情報再構成手段における解釈結果に基づいて、前記制御機器を制御する制御信号を生成し、当該制御機器に出力して、前記抽象情報に基づいた前記抽象表現または前記対極抽象表現によって視聴者に伝達される雰囲気を表現する抽象情報表現手段と、
を備えたことを特徴とする抽象情報再構成装置。
【請求項７】
前記抽象情報再構成手段が、前記符号化軸および抽象表現度合値を、前記制御機器の特性に応じて、多次元空間上の分割された領域毎に設定された動作パターンに対応させて解釈することを特徴とする請求項６に記載の抽象情報再構成装置。
【請求項８】
前記多次元空間上の分割された領域毎の動作パターンを設定する多次元空間領域設定手段を備えたことを特徴とする請求項７に記載の抽象情報再構成装置。
【請求項９】
前記抽象情報表現手段によって生成される制御信号を調整する制御信号調整手段を備えることを特徴とする請求項６から請求項８のいずれか１項に記載の抽象情報再構成装置。
【請求項１０】
請求項４に記載の抽象情報符号化プログラムで算出された抽象情報に基づいて、制御信号を受信可能な制御機器を制御することで、抽象情報に基づいた前記抽象表現または前記対極抽象表現によって視聴者に伝達される雰囲気を表現するために、コンピュータを、
前記抽象情報を取得する取得手段、
この取得手段で取得された抽象情報に、前記抽象表現および前記対極抽象表現を示すラベル並びに前記測定データを前記抽象表現度合値として含まれている場合において、
前記抽象表現および前記対極抽象表現を示すラベルおよび前記ラベルの前記符号化軸に関して予め設定された辞書であって前記ラベルで示される抽象表現および対極抽象表現に関する同義語、類義語、反義語、反類義語を含み、前記含まれたそれぞれの語と当該抽象表現および対極抽象表現との間で予め関連づけられた２語間の類似度を含んで構成されている軸変換辞書に含まれているラベルと、前記取得された抽象情報に含まれているラベルとが一致する場合には当該取得された抽象情報に含まれている抽象表現度合値を得て変換結果とし、
または、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語が前記軸変換辞書から検索された場合には前記検索された語に予め関連づけられた類似度を、当該取得された抽象情報に含まれている抽象表現度合値に乗じた値を得て変換結果とし、
または、前記軸変換辞書に送信側と共有されたデフォルト値がさらに予め用意され、かつ、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語のいずれも前記軸変換辞書から検索されなかった場合には前記取得された抽象情報に含まれている抽象表現度合値の代わりに当該デフォルト値を抽象表現度合値として得て変換結果とする符号化軸変換手段、
この符号化軸変換手段で得られた符号化軸および抽象表現度合値を解釈して当該抽象情報を再構成する抽象情報再構成手段、
この抽象情報再構成手段における解釈結果に基づいて、前記制御機器を制御する制御信号を生成し、当該制御機器に出力して、前記抽象情報に基づいた前記抽象表現または前記対極抽象表現によって視聴者に伝達される雰囲気を表現する抽象情報表現手段、
として機能させることを特徴とする抽象情報再構成プログラム。
【発明の詳細な説明】
【０００１】
【発明の属する技術分野】
本発明は、抽象的な言葉等で表現可能な「場」の状況を抽象情報として生成する、或いは当該抽象情報を利用する抽象情報符号化方法、抽象情報符号化装置、抽象情報符号化プログラムおよび抽象情報再構成方法、抽象情報再構成装置、抽象情報再構成プログラムに関する。
【０００２】
【従来の技術】
従来、映像中の風景、登場人物の演技および映像に付随している音声（音響効果）等で醸し出される（演出される）「場の状況（場の雰囲気）」を、体感的に視聴者側に伝達するものとして、例えば、映画館等において、映写されている映像（特に、インパクトのあるシーン）に合わせて、当該映画館内に備えられている観客席が振動するもの（以下、映像連動観客席振動システムという）などがある。
【０００３】
この映像連動観客席振動システムは、映像を制作した映像制作者の意図によって設定した制御信号を、観客席に伝送し、当該観客席を振動させるものであった。
例えば、映像制作者によって設定される制御信号は、通常、信号を設定する設定側（送信側：映像制作者）と制御信号で制御される制御側（受信側：この場合、映画館の観客席）で共有された標準化した軸、この場合、“観客席振動レベル設定軸”、“振動レベル出力電力軸”によって表されることになる。
【０００４】
【発明が解決しようとする課題】
しかしながら、従来のシステム（映像連動観客席振動システムを含む）では、映像を制作した映像制作者の意図した制御信号、すなわち、制御を想定した制御機器（この場合、観客席）に一義的な制御信号を伝達するものであり、例えば、こういった従来のシステムを一般のテレビ放送に用いようとした場合、受信側の視聴者が所有している制御機器が予測不可能であるので、視聴者側で十分に「場の状況（場の雰囲気）」を再構成することができないという問題がある。
【０００５】
つまり、従来のシステムにおいて伝達される一義的な制御信号では、「場の状況」を再構成する複数の制御機器の制御が困難であり、一義的な制御信号ではない、すなわち、視聴者側（受信側）において、より自由に解釈可能な制御信号の生成が望まれている。
【０００６】
そこで、本発明の目的は前記した従来の技術が有する課題を解消し、より柔軟に、より多様に、制御機器を制御するための情報を生成することができ、或いは、当該情報を利用して、場の状況（場の雰囲気）を再構成することができる抽象情報符号化方法、抽象情報符号化装置、抽象情報符号化プログラムおよび抽象情報再構成方法、抽象情報再構成装置、抽象情報再構成プログラムを提供することにある。
【０００７】
【課題を解決するための手段】
本発明は、前記した目的を達成するため、以下に示す構成とした。
請求項１に記載の抽象情報符号化方法は、入力された入力データを、知覚または感覚の程度を表す抽象的な表現である抽象表現とこの抽象表現の度合いを示した抽象表現度合値とによって定義付けられる抽象情報に符号化して出力し、受信した受信側の制御機器が当該抽象情報による抽象表現を表すように制御されることで、当該抽象情報を再構成する抽象情報符号化方法であって、測定対象を測定した測定データ、テキスト化対象文章をテキスト化したテキストデータの少なくとも一つを前記入力データとして入力する入力ステップと、前記抽象表現度合値がゼロとなる基準点を備え、この基準点から前記抽象表現の抽象表現度合値が一端方向に増加すると共に当該抽象表現と対極の関係となる対極抽象表現の抽象表現度合値が前記基準点から他端方向に増加する符号化軸上で、前記入力ステップにおいて入力された測定データを、前記抽象表現および前記対極抽象表現を示すラベル並びに前記測定データを前記抽象表現度合値として含む抽象情報に符号化するか、または、前記入力ステップにおいて入力されたテキストデータを、前記抽象表現および前記対極抽象表現を示すラベル並びに前記テキストデータを前記抽象表現度合値として含む抽象情報に符号化するか、または、前記入力ステップにおいて入力された測定データまたはテキストデータを、前記抽象表現および前記対極抽象表現を示すラベルであって受信側で用意されて送信側と共有されたデフォルト値を前記抽象表現度合値として指定するためのラベルを含む抽象情報に符号化するかのいずれかの符号化を、前記ラベルの内容に従って、入力されたデータを抽象情報に符号化するためのテーブルにより行う符号化ステップと、この符号化ステップにおいて符号化された抽象情報を出力する出力ステップと、を含むことを特徴とする。
【０００８】
この方法によれば、まず、入力ステップにおいて、測定データ、テキストデータのいずれかが入力データとして入力される。測定データは、気温、湿度、照度、可聴音（例、騒音の音圧）等の環境に関するデータや、長さ、重量、電流、電圧等の物理的なデータ等の測定可能なデータを指すものである。また、テキストデータは、例えば、映像番組の台本や、小説等の文章を電子データ化したものであって、このテキストデータには、例えば、「うれしい」、「悲しい」、「暑い」、「寒い」、「すがすがしい」、「気持ちが悪い」等の人の感情に関する表現がある。そして、符号化ステップにおいて、符号化軸上で、入力ステップにおいて入力された測定データまたはテキストデータを示す少なくとも１つの入力データが抽象表現度合値を付して定義付けられる抽象情報に符号化される。
【０００９】
なお、この抽象表現の度合いを示した抽象情報度合値として「副詞句」を用い、この「副詞句」を順序立てた符号化軸を設定することも可能である。例えば、抽象表現が「うれしい」である場合、この度合いを１〜１０に数値化する代わりに「ほんのちょっと（うれしい）」、「ちょっと（うれしい）、」「すこし（うれしい）」・・・「すごく（うれしい）」「超（うれしい）」といった副詞句による符号化軸上の位置によって表される抽象情報に符号化することも可能である。
【００１０】
つまり、抽象情報は、いわゆるベクトル（方向と大きさを持つもの）とみなすことができ、例えば、符号化軸が１本の場合は、軸上のある点（基点といえる：基準点［抽象情報度合値がゼロ］）からある点（数値をプロットした点：数値点）までのベクトルとみなせるし、符号化軸が２本以上ある場合、ある点（基準点）から、ある方向を持った、ある点（数値点）までのベクトルとみなせる。また、符号化軸は、例えば、一端方向を「あつい」、他端方向を「さむい」といった抽象的な表現で表されるもので、この軸上の基準点（抽象情報度合値がゼロ）を中心に、一端方向に絶対値が増加するように「あつい」度合いを示す数値が付されると共に、多端方向に絶対値が増加するように「さむい」度合いを示す数値が付されたものである。その後、出力ステップにおいて、抽象情報が出力される。なお、この出力ステップにおける「出力」の意味には、遠方に出力する、いわゆる「送信」も包含してもよい。
【００１１】
また、この出力ステップにおいて、抽象情報と入力されたデータとを多重化して出力してもよいし、抽象情報と入力されたデータとを別々のルート（放送波または通信網）に出力する場合であっても、当該抽象情報および入力されたデータとの関係が認識できる（例えば、識別子を付加する）ようにして出力してもよい。
さらに、知覚または感覚の程度を表す抽象的な表現は、事物の状況や人の感情を示した言葉で表されるものであって、より具体的には、環境、感情、雰囲気、事象等から抽出される表現（情報）や人為的に創作される表現（情報）である。
【００１２】
請求項２に記載の抽象情報符号化装置は、入力された測定データまたはテキストデータを示す入力データを、知覚または感覚の程度を表す抽象的な表現である抽象表現とこの抽象表現の度合いを示した抽象表現度合値とによって定義付けられる抽象情報に符号化して出力し、受信した受信側の制御機器が当該抽象情報による抽象表現を表すように制御されることで、当該抽象情報を再構成する抽象情報符号化装置であって、測定対象を測定した測定データ、テキスト化対象文章をテキスト化したテキストデータの少なくとも一つのデータを前記入力データとして入力する入力手段と、前記抽象表現度合値がゼロとなる基準点を備え、この基準点から前記抽象表現の抽象表現度合値が一端方向に増加すると共に当該抽象表現と対極の関係となる対極抽象表現の抽象表現度合値が前記基準点から他端方向に増加する符号化軸上で、前記入力手段で入力された測定データを、前記抽象表現および前記対極抽象表現を示すラベル並びに前記測定データを前記抽象表現度合値として含む抽象情報に符号化するか、または、前記入力手段で入力されたテキストデータを、前記抽象表現および前記対極抽象表現を示すラベル並びに前記テキストデータを前記抽象表現度合値として含む抽象情報に号化するか、または、前記入力手段で入力された測定データまたはテキストデータを、前記抽象表現および前記対極抽象表現を示すラベルであって受信側で用意されて送信側と共有されたデフォルト値を前記抽象表現度合値として指定するためのラベルを含む抽象情報に符号化するかのいずれかの符号化を、前記ラベルの内容に従って、入力されたデータを抽象情報に符号化するためのテーブルにより行う符号化する符号化手段と、この符号化手段で符号化された抽象情報を出力する出力手段と、を備えたことを特徴とする。
【００１３】
かかる構成によれば、入力手段で、測定データ、テキストデータのいずれかが入力データとして入力される。符号化手段で、入力データが、抽象表現および対極抽象表現を示すラベル並びに測定データを抽象表現度合値として含む抽象情報、抽象表現および対極抽象表現を示すラベル並びにテキストデータを抽象表現度合値として含む抽象情報、および、抽象表現および対極抽象表現を示すラベルであって受信側で用意されて送信側と共有されたデフォルト値を抽象表現度合値として指定するためのラベルを含む抽象情報のいずれかに前記ラベルの内容に従って符号化されて、この抽象情報が出力手段で出力される。なお、符号化手段には、入力されたデータを抽象情報に符号化するためのテーブルが備えられている。
【００１４】
請求項３に記載の抽象情報符号化装置は、請求項２に記載の抽象情報符号化装置において、前記抽象情報に基づいた前記抽象表現または前記対極抽象表現によって、前記受信側の視聴者に伝達される雰囲気を表現する時刻を示す再構成時刻情報を前記抽象情報に付加する再構成時刻情報付加手段を備えることを特徴とする。
【００１５】
かかる構成によれば、再構成時刻情報付加手段によって、抽象情報に基づいた抽象表現または対極抽象表現によって受信側の視聴者に伝達される雰囲気が表現される時刻を示す再構成時刻情報が付加される。
【００１９】
請求項４に記載の抽象情報符号化プログラムは、入力された入力データを、知覚または感覚の程度を表す抽象的な表現である抽象表現とこの抽象表現の度合いを示した抽象表現度合値とによって定義付けられる抽象情報に符号化して出力し、受信した受信側の制御機器が当該抽象情報による抽象表現を表すように制御されることで、当該抽象情報を再構成するために、コンピュータを、測定対象を測定した測定データ、テキスト化対象文章をテキスト化したテキストデータの少なくとも一つのデータを前記入力データとして入力する入力手段、前記抽象表現度合値がゼロとなる基準点を備え、この基準点から前記抽象表現の抽象表現度合値が一端方向に増加すると共に当該抽象表現と対極の関係となる対極抽象表現の抽象表現度合値が前記基準点から他端方向に増加する符号化軸上で、前記入力手段で入力された測定データを、前記抽象表現および前記対極抽象表現を示すラベル並びに前記測定データを前記抽象表現度合値として含む抽象情報に符号化するか、または、前記入力手段で入力されたテキストデータを、前記抽象表現および前記対極抽象表現を示すラベル並びに前記テキストデータを前記抽象表現度合値として含む抽象情報に符号化するか、または、前記入力手段で入力された測定データまたはテキストデータを、前記抽象表現および前記対極抽象表現を示すラベルであって受信側で用意されて送信側と共有されたデフォルト値を前記抽象表現度合値として指定するためのラベルを含む抽象情報に符号化するかのいずれかの符号化を、前記ラベルの内容に従って、入力されたデータを抽象情報に符号化するためのテーブルにより行う符号化手段、この符号化手段で符号化された抽象情報を出力する出力手段、として機能させることを特徴とする。
【００２０】
かかる構成によれば、入力手段で、測定データ、テキストデータのいずれかが入力データとして入力される。符号化手段で、符号化軸上で、抽象表現および対極抽象表現を示すラベル並びに測定データを抽象表現度合値として含む抽象情報、抽象表現および対極抽象表現を示すラベル並びにテキストデータを抽象表現度合値として含む抽象情報、および、抽象表現および対極抽象表現を示すラベルであって受信側で用意されて送信側と共有されたデフォルト値を抽象表現度合値として指定するためのラベルを含む抽象情報のいずれかに前記ラベルの内容に従って入力データが符号化されて、この抽象情報が出力手段で出力される。
【００２１】
また、請求項５に記載の抽象情報再構成方法は、請求項１に記載の抽象情報符号化方法で得られた抽象情報に基づいて、制御信号を受信可能な制御機器を制御することで、抽象情報に基づいた前記抽象表現または前記対極抽象表現によって視聴者に伝達される雰囲気を表現する抽象情報再構成方法であって、前記抽象情報を取得する取得ステップと、この取得ステップにおいて取得された抽象情報に、前記抽象表現および前記対極抽象表現を示すラベル並びに前記測定データを前記抽象表現度合値として含まれている場合において、前記抽象表現および前記対極抽象表現を示すラベルおよび前記ラベルの前記符号化軸に関して予め設定された辞書であって前記ラベルで示される抽象表現および対極抽象表現に関する同義語、類義語、反義語、反類義語を含み、前記含まれたそれぞれの語と当該抽象表現および対極抽象表現との間で予め関連づけられた２語間の類似度を含んで構成されている軸変換辞書に含まれているラベルと、前記取得された抽象情報に含まれているラベルとが一致する場合には当該取得された抽象情報に含まれている抽象表現度合値を得て変換結果とし、または、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語が前記軸変換辞書から検索された場合には前記検索された語に予め関連づけられた類似度を、当該取得された抽象情報に含まれている抽象表現度合値に乗じた値を得て変換結果とし、または、前記軸変換辞書に送信側と共有されたデフォルト値がさらに予め用意され、かつ、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語のいずれも前記軸変換辞書から検索されなかった場合には前記取得された抽象情報に含まれている抽象表現度合値の代わりに当該デフォルト値を抽象表現度合値として得て変換結果とする符号化軸変換ステップと、この符号化軸変換ステップで得られた抽象情報の符号化軸および抽象表現度合値を解釈して当該抽象情報を再構成する抽象情報再構成ステップと、この抽象情報再構成ステップにおける解釈結果に基づいて、前記制御機器を制御する制御信号を生成し、当該制御機器に出力して、前記抽象情報に基づいた前記抽象表現または前記対極抽象表現によって視聴者に伝達される雰囲気を表現する抽象情報表現ステップと、を含むことを特徴とする。
【００２２】
この方法によれば、まず、取得ステップにおいて抽象情報が取得される。この取得ステップにおける「取得」の意味には、遠方から取得する、いわゆる「受信」も包含してもよい。符号化軸変換ステップにおいて、符号化軸および抽象表現度合値が得られ、抽象情報再構成ステップにおいて、抽象表現が解釈され、この抽象表現の解釈結果に基づいて、抽象情報表現ステップにおいて制御機器を制御する制御信号が生成され、制御信号を受信した制御機器によって、抽象情報に基づいた抽象表現または対極抽象表現によって視聴者に伝達される雰囲気が表現される。
【００２５】
請求項６に記載の抽象情報再構成装置は、請求項２または請求項３に記載の抽象情報符号化装置で出力された抽象情報に基づいて、制御信号を受信可能な制御機器を制御することで、抽象情報に基づいた前記抽象表現または前記対極抽象表現によって視聴者に伝達される雰囲気を表現する抽象情報再構成装置であって、前記抽象情報を取得する取得手段と、この取得手段で取得された抽象情報に、前記抽象表現および前記対極抽象表現を示すラベル並びに前記測定データを前記抽象表現度合値として含まれている場合において、前記抽象表現および前記対極抽象表現を示すラベルおよび前記ラベルの前記符号化軸に関して予め設定された辞書であって前記ラベルで示される抽象表現および対極抽象表現に関する同義語、類義語、反義語、反類義語を含み、前記含まれたそれぞれの語と当該抽象表現および対極抽象表現との間で予め関連づけられた２語間の類似度を含んで構成されている軸変換辞書に含まれているラベルと、前記取得された抽象情報に含まれているラベルとが一致する場合には当該取得された抽象情報に含まれている抽象表現度合値を得て変換結果とし、または、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語が前記軸変換辞書から検索された場合には前記検索された語に予め関連づけられた類似度を、当該取得された抽象情報に含まれている抽象表現度合値に乗じた値を得て変換結果とし、または、前記軸変換辞書に送信側と共有されたデフォルト値がさらに予め用意され、かつ、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語のいずれも前記軸変換辞書から検索されなかった場合には前記取得された抽象情報に含まれている抽象表現度合値の代わりに当該デフォルト値を抽象表現度合値として得て変換結果とする符号化軸変換手段と、この符号化軸変換手段で得られた符号化軸および抽象表現度合値を解釈して当該抽象情報を再構成する抽象情報再構成手段と、この抽象情報再構成手段における解釈結果に基づいて、前記制御機器を制御する制御信号を生成し、当該制御機器に出力して、前記抽象情報に基づいた前記抽象表現または前記対極抽象表現によって視聴者に伝達される雰囲気を表現する抽象情報表現手段と、を備えたことを特徴とする。
【００２６】
かかる構成によれば、取得手段で抽象情報が取得される。符号化軸変換手段で、符号化軸および抽象表現度合値が得られ、抽象情報再構成手段で、抽象表現が解釈され、この抽象表現の解釈結果に基づいて、抽象情報表現手段で、制御機器を制御する制御信号が生成され、制御信号を受信した制御機器によって、抽象情報に基づいた抽象表現または対極抽象表現によって視聴者に伝達される雰囲気が表現される。
【００２９】
請求項７に記載の抽象情報再構成装置は、請求項６に記載の抽象情報再構成装置において、前記抽象情報再構成手段が、前記符号化軸および抽象表現度合値を、前記制御機器の特性に応じて、多次元空間上の分割された領域毎に設定された動作パターンに対応させて解釈することを特徴とする。
【００３０】
かかる構成によれば、抽象情報再構成手段で、符号化軸および抽象表現度合値が、制御機器の特性に応じて、多次元空間上の分割された領域毎に設定された動作パターンに対応するように解釈される。なお、多次元空間は、ある基点で交わる、互いに直交する必要のない複数の符号化軸によって関連付けられる領域のことであり、例えば、符号化軸が２本である場合には、２次元空間となり、符号化軸が５本である場合には５次元空間となるものである。例えば、「あつい」「さむい」を対にする符号化軸と、「うれしい」「かなしい」を対にする符号化軸との多次元空間（２次元空間）を備える場合であり、制御機器が犬型ロボットである場合には、分割される領域は「走り回る」、「ぐだぐだする」、「へこたれる」、「くよくよする」、「部屋に帰る」、「変化なし」等である。
【００３１】
請求項８に記載の抽象情報再構成装置は、請求項７に記載の抽象情報再構成装置において、前記多次元空間上の分割された領域毎の動作パターンを設定する多次元空間領域設定手段を備えたことを特徴とする。
【００３２】
かかる構成によれば、多次元空間領域設定手段で、分割された領域毎の動作パターンを設定することができる。なお、この多次元空間領域設定手段では、多次元空間を張る次元数の増減（符号化軸上の抽象表現、対極抽象表現の追加・削除）や、多次元空間内に設定される、分割された領域数の増減（動作パターンの追加・削除）や、多次元空間内に設定される、分割された領域それぞれの位置、大きさおよび領域境界面の変更（動作パターンの判別式の変更）を行うことができる。
【００３５】
請求項９に記載の抽象情報再構成装置は、請求項６から請求項８のいずれか１項に記載の抽象情報再構成装置において、前記抽象情報表現手段によって生成される制御信号を調整する制御信号調整手段を備えることを特徴とする。かかる構成によれば、制御信号調整手段で、制御信号のレベルを調整することができる。
【００３６】
請求項１０に記載の抽象情報再構成プログラムは、請求項４に記載の抽象情報符号化プログラムで算出された抽象情報に基づいて、制御信号を受信可能な制御機器を制御することで、抽象情報に基づいた前記抽象表現または前記対極抽象表現によって視聴者に伝達される雰囲気を表現するために、コンピュータを、前記抽象情報を取得する取得手段、この取得手段で取得された抽象情報に、前記抽象表現および前記対極抽象表現を示すラベル並びに前記測定データを前記抽象表現度合値として含まれている場合において、前記抽象表現および前記対極抽象表現を示すラベルおよび前記ラベルの前記符号化軸に関して予め設定された辞書であって前記ラベルで示される抽象表現および対極抽象表現に関する同義語、類義語、反義語、反類義語を含み、前記含まれたそれぞれの語と当該抽象表現および対極抽象表現との間で予め関連づけられた２語間の類似度を含んで構成されている軸変換辞書に含まれているラベルと、前記取得された抽象情報に含まれているラベルとが一致する場合には当該取得された抽象情報に含まれている抽象表現度合値を得て変換結果とし、または、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語が前記軸変換辞書から検索された場合には前記検索された語に予め関連づけられた類似度を、当該取得された抽象情報に含まれている抽象表現度合値に乗じた値を得て変換結果とし、または、前記軸変換辞書に送信側と共有されたデフォルト値がさらに予め用意され、かつ、前記取得された抽象情報に含まれているラベルと、前記軸変換辞書に含まれているラベルとが一致せずに、かつ、前記取得された抽象情報に含まれているラベルで示される抽象表現および対極抽象表現に関する同義語および反義語、あるいは類義語および反類義語のいずれも前記軸変換辞書から検索されなかった場合には前記取得された抽象情報に含まれている抽象表現度合値の代わりに当該デフォルト値を抽象表現度合値として得て変換結果とする符号化軸変換手段、この符号化軸変換手段で得られた符号化軸および抽象表現度合値を解釈して当該抽象情報を再構成する抽象情報再構成手段、この抽象情報再構成手段における解釈結果に基づいて、前記制御機器を制御する制御信号を生成し、当該制御機器に出力して、前記抽象情報に基づいた前記抽象表現または前記対極抽象表現によって視聴者に伝達される雰囲気を表現する抽象情報表現手段、として機能させることを特徴とする。
【００３７】
かかる構成によれば、取得手段で抽象情報が取得される。符号化軸変換手段で、符号化軸および抽象表現度合値が得られ、抽象情報再構成手段で、抽象表現が解釈され、この抽象表現の解釈結果に基づいて、抽象情報表現手段で、制御機器を制御する制御信号が生成され、制御信号を受信した制御機器によって、抽象情報に基づいた抽象表現または対極抽象表現によって視聴者に伝達される雰囲気が表現される。
【００４０】
【発明の実施の形態】
以下、本発明の一実施の形態について、図面を参照して詳細に説明する。
（抽象情報符号化再構成システム［抽象情報符号化装置、抽象情報再構成装置］）
図１に示すように、抽象情報符号化再構成システム１は、抽象情報符号化装置３と、受信装置５と、表現装置７（７ａ、７ｂ）とを備えている。
抽象情報符号化装置３は、入力されたデータを抽象情報に符号化するものであって、抽象情報入力手段９と、抽象情報符号化手段１１と、送出手段１３とを備えている。
【００４１】
抽象情報入力手段９は、測定センサ（図示せず）等で測定された測定データや、放送局で制作される番組の台本等が電子データ化されたテキストデータが入力され、この入力されたデータ（以下、入力データという）を抽象情報符号化手段１１に出力するものである。なお、この抽象情報入力手段９が請求項に記載した入力手段に相当するものである。
【００４２】
抽象情報符号化手段１１は、抽象情報入力手段９から出力された入力データを、以下に示すように抽象情報に符号化するものである。抽象情報は、対になる抽象的な表現、例えば、「あつい」と「さむい」、「うれしい」と「悲しい」、「静か」と「うるさい」を、それぞれ“ラベル”とし、抽象的な表現の度合いを数値化した“値”（請求項に記載の抽象表現度合値、以下「値」という）として、これら、ラベルおよび値を合わせて表現されるものである。具体的には、複数のラベルおよび値は、ラベルが両端に付されると共に基準点（“値”ゼロの点）を備えた、直交を必要としない（直交していてもいい）複数の軸に、つまり、基準点から両端の方向に、それぞれのラベルの値が増加するように構成した複数の軸（符号化軸）によって定義されるものである。例えば、一対のラベルおよび値は、基準点を中心に、一端方向に「あつい」値が、他端方向に「さむい」値が増加するように数値が付されている符号化軸で定義付けられる。
【００４３】
より感覚的にわかりやすい例で説明すると、例えば、入力データが気温３０度、湿度８０％だとする。するとまず、抽象情報符号化手段１１は、符号化軸のラベルを「あつい」とし、このラベルの度合い（あつい度合い）を０から１０の数値として付す。そして、入力データの気温３０度、湿度８０％は「あつい度１〜１０」の中でどの程度の値に該当するかを判断し、例えば、「あつい度８」と抽象情報化する。或いは、入力データが音圧レベル８０ｄＢの音声だとする。抽象情報符号化手段１１は、符号化軸のラベルを「うるさい」とし、このラベルの度合い（うるさい度合い）を０から１０の数値として付す。そして、入力データの音圧レベル８０ｄＢは「うるさい度１〜１０」の中でどの程度の値に該当するかを判断し、例えば、「うるさい度１０」と抽象情報化する。
【００４４】
さらに、「ラベル」の符号化のバリエーションについて説明する。入力データがテキストデータであった場合、自然言語のまま「ラベル」にする。つまり、テキストデータが形容詞、連体詞、形容句等、例えば「楽しい」、「柔軟な」、「気分が悪い」等であり、または、テキストデータが程度を表す名詞、名詞句等、例えば「楽しさ」、「柔軟性」、「気分の悪い度」等を、そのまま「ラベル」にする。
【００４５】
こういった「ラベル」は、自然言語のまま、ラベル化するので、ラベル数は、自然言語の言語数（英語、中国語、イタリア語等）および自然言語の語彙に応じて増加可能であり、「ラベル」には、その自然言語で頻繁に使用される語句、例えば、流行語等が反映されることになり、柔軟性、拡張性がある。
【００４６】
また、予め、送信側と受信側とで使用される「ラベル」を共有しておいて、バイナリデータで授受されるデータのフォーマットも互いに既知とし、「ラベル」をバイナリデータで指定可能にした場合、送信側からバイナリーデータを送信して「ラベル」を決定すれば、柔軟性、拡張性は失われることになるが、伝送情報量の圧縮効果を期待することができる。
【００４７】
ところで、「ラベル」が自然言語を符号化したものである場合、送信側である抽象情報符号化装置３で生成した「ラベル」と、受信側である受信装置５および表現装置７で解釈するときの「ラベル」（詳細は後記する）とが一致したとしても、自然言語の語句の持つ多義性（同音異義語等による）のため、送信側の「ラベル」が表している事象と、受信側の「ラベル」が表している事象とが異なる場合があり得る。例えば、同じ「熱い」でも、「物が熱い」事象を表す場合も、「心が熱い」事象を表す場合もあり得る。
【００４８】
そこで、次に示すように、抽象情報符号化手段１１で生成される抽象情報の「ラベル」を工夫する。▲１▼出来るだけ多義性のない語句を使用する。例えば「熱い（心が熱い）」の代わりに「情熱的な」という「ラベル」にする。▲２▼単語ではなく、説明的な形容句、名詞句を使用する。例えば「熱い（心が熱い）」の代わりに「恋人を思う気持ちが高まっている（恋人を思う高まった気持ち）」という「ラベル」にする。▲３▼目的の事象を表す複数の語を用いることによって多義性を排除する。例えば「熱い（心が熱い）」の代わりに「熱い、熱烈な、甘い、心が高まる」という「ラベル」にする。
【００４９】
さらに、ここで「値」の符号化のバリエーション▲１▼〜▲５▼について説明する。
▲１▼ラベルの内容が、既知の単位、尺度で表される軸の場合は、そのままの数値を「値」として用いる。例えば、“気温：１０度”の「値」は「１０度」であり、“不快指数：５０％”の「値」は「５０％」であり、“標高：３０００ｍ”の「値」は「３０００ｍ」である。
【００５０】
▲２▼ラベルの内容が、主に主観的・相対的な表現で表されている場合、副詞句を「値」として用いる。例えば、“暑さ：「やや」”の「値」は「やや」であり、“ほのぼの：「とても」”の「値」は「とても」であり、“むかつく：「超」”の「値」は「超」である。
【００５１】
▲３▼ラベルの内容が、主に主観的・相対的な表現で表されている場合、曖昧に正規化された程度数（例えば、最大１００％〜最小−１００％の範囲で表現）を「値」として用いる。例えば、“蒸し暑さ：１００％”の「値」は「１００％」であり、“ぽかぽか：２０％”の「値」は「２０％」である。
【００５２】
（４）予め、送信側である抽象情報符号化装置３で生成した「ラベル」と、受信側である受信装置５および表現装置７で解釈するときの「ラベル」（詳細は後記する）において、共有されたデフォルト値を用意しておいて、受信側でデフォルト値を表現したい場合には送信側は「値」を省いて伝送することが可能である。
【００５３】
（５）予め、送信側である抽象情報符号化装置３で生成した「ラベル」と、受信側である受信装置５および表現装置７で解釈するときの「ラベル」（詳細は後記する）において、共有されたデフォルト値が用意されていない場合、受信側の受信装置５または表現装置７に備えられている受信機能（表現機能）として一般的に推論可能な「ラベル」については、受信側で独自にデフォルト値を設定し、このデフォルト値を「値」とすることも可能である。例えば、「暑い」という「ラベル」が受信側で受信された場合、受信側の受信環境に応じた一般的な暑さ（例えば、３０度）をデフォルト値として設定し「値」とする。また、「真っ暗」という「ラベル」が受信側で受信された場合、受信側の受信環境に応じた一般的な暗さの最大値をデフォルト値として設定し「値」とする。
【００５４】
すなわち、抽象情報符号化手段１１には、図示を省略した辞書機能（ラベル付加辞書、変換テーブル）と判定機能とが備えられており、辞書機能は、入力データと抽象的な表現との関連づけをする機能であり、判定機能は、入力データの大小と抽象的な表現の程度とを判定する機能である。
【００５６】
そして、この実施の形態では、これらのラベルおよび値が、抽象情報符号化手段１１でＸＭＬによって記述される。ＸＭＬ（ｅＸｔｅｎｓｉｂｌｅ  Ｍａｒｋｕｐ  Ｌａｎｇｕａｇｅ）はテキストベースで記述され、多様なデータ構造を表現可能なドキュメント（文書）記述用の言語のことであり、ユーザが定義できるタグとＤＴＤ（スキーマ：文書型定義）とを使って、「入れ子構造」を指定することによりツリー形式で文書構成要素間の関係を定義できるものである。このＸＭＬを使用して、抽象情報を記述する仕方は、▲１▼「ラベル」を「タグ」に、「値」を「データ」にして記述する。簡単に記述することが出来るが、符号化のたびにＤＴＤを変更する必要が生じる。
【００５７】
例示すると、
＜ラベルのインスタンス＞値のインスタンス＜／ラベルのインタンス＞
＜楽しさ＞１０＜／楽しさ＞
となる。なお、インスタンスとは事例のことである。
【００５８】
▲２▼「ラベル」や「値」を「タグ」にしないで、「データ」にする。こうすると、符号化のたびにＤＴＤを変更する必要がない。
例示すると、
0004227357.tif 000002
となる。
【００５９】
なお、抽象情報符号化手段１１には、入力データの符号化を一定時間間隔で、または、抽象情報の更新が必要なタイミングで随時、符号化を行うタイミング調整手段（図示せず）が備えられている。
【００６０】
送出手段１３は、抽象情報符号化手段１１で符号化した抽象情報と入力データとを同期化して、送出先の放送波または通信網に対応する伝送信号に変調して送出させるものである。なお、この送出手段１３では、抽象情報と入力データとを同期化しているが、抽象情報と入力データとを別々の送出先（放送波または通信網）に対応する伝送信号に変調する場合、或いは抽象情報と入力データとを別の時間帯で送出する場合には、当該抽象情報と当該入力データとの関連が識別できるように、それぞれに識別子が付加される。また、この送出手段１３は、入力データを送出することを中止して、抽象情報のみを伝送信号に変調して送出させることができるものである。
【００６１】
なお、送出手段１３には、抽象情報を一定時間間隔で、または、抽象情報の更新が必要なタイミングで随時、送出するタイミング調整手段（図示せず）が備えられている。つまり、送出手段１３（送信側である抽象情報符号化装置３）で、受信側（受信装置５および表現装置７）において抽象情報を利用する（抽象情報に基づいた感興を表現する）時刻を設定することができる。
【００６２】
また、この送出手段１３は、各瞬間の入力データおよび抽象情報（または抽象情報のみ）に再構成時刻情報を付加する再構成時刻情報付加手段（図示せず）を備えており、受信側の受信装置５および表現装置７において抽象情報に基づいた感興を再構成する再構成処理の時刻（入力データおよび抽象情報を同期させる時刻）を送信側で設定することができる。なお、再構成時刻情報を付加しない場合には、受信側の受信装置５および表現装置７で、抽象情報を受信後、抽象情報に基づいた感興を再構成する再構成処理がすぐに行われる。
【００６３】
受信装置５は、抽象情報符号化装置３から送出された伝送信号を受信するものであって、受信手段１５を備えている。受信手段１５は、伝送信号が放送波によるものであった場合、検波し、復調して、抽象情報と入力データとを検出し、伝送信号が通信回線網によって伝送された場合、受信後、復調して抽象情報と入力データとを検出し、その後、表現装置７に抽象情報と入力データとを出力するものである。なお、この受信手段１５が請求項に記載した取得手段に相当するものである。
【００６４】
表現装置７は、受信装置５と設備内通信網（有線・無線）を介して情報（抽象情報および入力データ等）を送受信できるように構成されており、受信装置５の受信手段１５から出力された抽象情報に基づいた「場の状況（場の雰囲気）」を、各表現装置７の固有特性に応じて表現するものであって、符号化軸変換手段１７と、抽象情報再構成手段１９と、抽象情報表現手段２１と、記憶手段２３とを備えている。
【００６５】
この実施の形態では、この表現装置７は、学習機能搭載型の「犬型ロボット」および「猫型ロボット」である。なお、表現装置７は、照明機器（蛍光灯、室内間接照明等）、空調関連機器（扇風機、加湿器、空調機等）の一般電化製品等であってもよい。既存の一般電化製品の場合、少なくとも受信装置５と情報を送受信可能なアダプタ状の機器を付随させる必要がある。さらに、情報を記憶可能な記憶機器を備える必要がある。ただし、照明機器等の照度の調整しか表現動作が想定されない場合や、受信装置５が表現装置７を集中して制御する場合（表現装置７は動作するのみ）には、各表現装置７には、記憶機器を備える必要はない。
【００６６】
符号化軸変換手段１７は、入力された抽象情報である複数（Ｎ個、単数でもよい）の符号化軸上の数値（ラベルおよび値）を、記憶手段２３に記憶されている軸変換辞書（図示せず）に基づいて、ベクトル（抽象情報ベクトル）に変換するものである。
【００６７】
軸変換辞書は、「ラベル」および符号化軸に関する辞書であり、「ラベル」に関する同義語、類義語、反義語、反類義語を含み、関連づけられた２語間の「類似度」（−１００％〜１００％）を含んで構成されている。この類似度は、同義語では１００％、類義語では０％超１００％未満、反義語では０％未満１００％超、反類義語では−１００％と設定されている。
【００６８】
この符号化軸変換手段１７は、軸変換辞書を参照した結果、送信側の抽象情報符号化装置３から送出された伝送信号に含まれている抽象情報（ラベルおよび値）と一致する「ラベル」が軸変換辞書中にある場合には、当該抽象情報の「値」をもって、復号した「値」とするものである。
【００６９】
また、送信側の抽象情報符号化装置３から送出された伝送信号に含まれている抽象情報（ラベルおよび値）と一致する「ラベル」が軸変換辞書中にない場合には、この軸変換辞書を検索して、送信側の抽象情報符号化装置３からの「ラベル」と、軸変換辞書中の「ラベル」との関係が定義されている場合、抽象情報符号化装置３からの「ラベル」に類似度を乗じて、復号した「値」とするものである。
【００７０】
さらに、送信側の抽象情報符号化装置３から送出された伝送信号に含まれている抽象情報（ラベルおよび値）と一致する「ラベル」が軸変換辞書中にない場合であって、この軸変換辞書を検索しても、送信側の抽象情報符号化装置３からの「ラベル」と、軸変換辞書中の「ラベル」との関係が定義されていない場合、一致または類似する「ラベル」がないものとして、「０」または予め設定されたデフォルト値を、復号した「値」とするものである。
【００７１】
つまり、この符号化軸変換手段１７では、Ｎ個の符号化軸で表現されている抽象情報をＭ個の符号化軸で表現される提示可能なデータ（ベクトル）に変換するものである。すなわち、入力された抽象情報の要素Ｘｉと変換後の抽象情報ベクトルの要素Ｙｊを表現する「ラベル」の相関度（前記した類似度等）をＫｉｊとすると、変換後の抽象情報ベクトルの要素Ｙｊの値は、
Ｙｊ＝Ｋ１ｊＸ１＋Ｋ２ｊＸ２＋・・・＋ＫｎｊＸｎ
で表される。つまり、この軸変換を行う軸変換辞書はＮ×Ｍの行列で表現可能である。
【００７２】
具体的に説明すると、抽象情報が「ぽかぽか度：３０％」、「空腹度：５０％」である場合に、表現装置７が「暑さ」、「うれしさ」の２軸（２個の符号化軸）に基づく動作（詳細は後記する）を表現可能であるとすると、表現装置７の記憶手段２３には、次に示す関係式を含んでいる軸変換辞書が記憶されているとすると、
暑さ＝ぽかぽか度×０．８＋空腹度×０＝２４％
うれしさ＝ぽかぽか度×０．５＋空腹度×−０．５＝−１０％
という結果、「ぽかぽか度：３０％」＝「暑さ：２４％」、「空腹度：５０％」＝「うれしさ：−１０％」が得られる。具体的な抽象情報ベクトルおよび多次元空間（２次元）の説明（例示）は後記する。
【００７３】
ここで、軸変換辞書について説明する。
まず、軸変換辞書の入手（▲１▼〜▲９▼）について説明する。▲１▼表現装置７に記憶手段２３が備えられており、予め、軸変換辞書が記憶されている（はじめから持っている）。▲２▼受信側（受信装置５および表現装置７）のユーザが軸変換辞書をＣＤ−ＲＯＭ、メモリカード等の記憶媒体として購入する。▲３▼受信側のユーザが軸変換辞書を送信側（例えば、放送局）からダウンロードして得る。▲４▼送信側が抽象情報（「ラベル」、「値」）と共に、軸変換辞書を受信側に送ってくる。
【００７４】
▲５▼軸変換辞書を受信側で予め備えていると共に、送信側から受信側に送ってくる。さらに送ってきた軸変換辞書に基づいて、予め備えられている軸変換辞書を更新していく（学習させていく）。▲６▼受信側（受信装置５および表現装置７）のユーザが定義付けて（新規に、または、入手した軸変換辞書を用いて）記憶手段２３に記憶させる。
【００７５】
▲７▼受信装置５、表現装置７が自動的に「軸変換辞書」を学習する。▲８▼表現装置７の動作に基づいた、受信側のユーザの満足度に基づいて、受信装置５、表現装置７が自動的に「軸変換辞書」を学習する。ユーザの満足度とは、表現装置７の動作と、その動作に対してユーザの行った操作との関係から類推したもの（数値化も可能）であって、例えば、表現装置７が抽象情報の解釈結果に基づいた動作開始直後に、表現装置７の停止スイッチが押されたり、チャンネルが変更されたり、設定が変更されたりした場合は、「満足度が低い」とみなしたものである。▲９▼、▲１▼〜▲８▼を適宜組み合わせて、軸変換辞書を得る。
【００７６】
抽象情報再構成手段１９は、符号化軸変換手段１７で得られた抽象情報ベクトルが、予め備えられた多次元空間の分割された領域（以下、分割領域という）のどこに属しているか（抽象情報ベクトルの先端がどこを指しているか）を判断するものである。なお、多次元空間に関する情報（多次元空間情報）は、記憶手段２３に記憶されている。また各分割領域には動作指示（請求項に記載の動作パターン）が割り当てられている。
【００７７】
ここで、多次元空間の分割領域の定義方法および分割領域に割り当てられる動作指示の決定方法（▲１▼〜▲５▼）について説明する。
▲１▼多次元空間（Ｍ次元空間）内のＭ′次元体（分割領域）を各動作指示に割り当てる方法（決定する方法）として、各動作指示に対して各符号化軸の数値範囲を決めておいて、抽象情報ベクトルの各要素値（一つの符号化軸の数値毎）が対応するそれぞれの符号化軸の数値範囲に全て納まっている場合には、当該動作指示が選択される。無視すべき符号化軸（抽象情報ベクトルの要素値が存在しない符号化軸）に関しては、無限小から無限大の数値範囲を持つものと仮定して、各動作指示の割り当てが計算される。
【００７８】
▲２▼各動作パターンに対応する点と、そこからの抽象情報ベクトルまでの距離とで動作指示を決定する方法として、各動作指示に対応する分割領域内（空間内）の点（ベクトル）と、入力される抽象情報ベクトルとの判別距離を定義しておき、当該抽象情報ベクトルが判別距離内に入っている場合には、当該動作指示が選択される。なお、無視すべき符号化軸（抽象情報ベクトルの要素値が存在しない符号化軸）に関しては、無限小から無限大の数値範囲で判別される（つまり、各分割領域を超円柱で表現しておく）。
【００７９】
▲３▼線形識別関数（パターン認識おける既存技術）を用いて、動作指示を決定する方法として、多次元空間（Ｍ次元空間）内にＣ（Ｃ−１）／２個（Ｃ＝動作パターンの数）の超平面を用意し、当該超平面を各動作指示の境界面として判断する。つまり、分割領域が多次元空間（Ｍ次元空間）内の多面体として表現される。なお、線形識別関数の決定方法として、予め決定された値（式）を送信側（抽象情報符号化装置３）から伝送しておく方法、表現装置７における学習による獲得・更新による方法等が挙げられる。
【００８０】
▲４▼部分空間識別法（パターン認識における既存技術）を用いて、動作指示を決定する方法として、多次元空間（Ｍ次元空間）内にＣ個（Ｃ＝動作パターンの数）の部分空間を用意し、抽象情報ベクトルから各部分空間への射影成分が最大となる動作パターンの動作が選択される。なお、部分空間の決定方法および判別方法として、ＣＬＡＦＩＣ・複合類似度法等を用いる手法、予め決定された部分空間（式）を送信側（抽象情報符号化装置３）から伝送しておく方法、表現装置７における学習による獲得・更新による方法等が挙げられる。
【００８１】
▲５▼部分空間識別法による判別と共に、抽象情報ベクトルの大きさを利用して動作指示を決定する方法として、抽象情報ベクトルの大きさがある閾値よりも小さい場合には、動作指示は「何も行動しない」とされる。
【００８２】
またここで、各分割領域の動作指示の構成（割り当て：再構成ルール）▲１▼〜▲８▼について説明する。
▲１▼動作指示は、多くの学習サンプルから抽出して構成する。
▲２▼動作指示は、既成概念等をベースに人為的に操作して数値化して符号化したものとして構成する。
【００８３】
▲３▼▲１▼、▲２▼を送信側（例えば、放送局）で行って、構成した動作指示を受信側（受信装置５および表現装置７）にダウンロードする（例えば、放送波によって）。
▲４▼▲１▼、▲２▼を送信側（例えば、放送局）で行って、構成した動作指示を可搬型メモリ（記憶媒体、ＣＤ−ＲＯＭ等）を介して（販売等）受信側（受信装置５および表現装置７）にインストールさせる。
【００８４】
▲５▼▲１▼、▲２▼を受信側（受信装置５および表現装置７）の受信装置５または表現装置７の組み込み機能として（組み込み機能を持たせて）自動的に、またはユーザの操作によって、動作指示を構成し（作成し）を入力する。
▲６▼可搬型メモリ（記憶媒体：ＣＤ−ＲＯＭ、メモリカード等）を用いて、複数の受信側（受信装置５および表現装置７）間で、動作指示のやりとり（交換等）を行う。
【００８５】
▲７▼表現装置７自体（特に、学習機能搭載型の「ロボット」等）が、学習機能によって独自に、分割領域の動作指示の改変・修正を行う（学習機能）。
▲８▼何らかのメディアを介して（通信網：ネットワーク、記憶媒体、放送波）外部から受信側（受信装置５および表現装置７）に動作指示をインストールする
【００８６】
すなわち、抽象情報再構成手段１９は、これら▲１▼〜▲８▼に示したように分割領域毎の動作指示（動作パターン）を設定する図示を省略した多次元空間領域設定手段（請求項に記載）を備えるものである。
【００８７】
次に、抽象情報表現手段２１は、抽象情報再構成手段１９で判断された分割領域に割り当てられた動作指示に基づいて、当該表現装置７を動作させるための動作信号（制御信号）に変換するものである。また、この抽象情報表現手段２１は制御信号の制御レベル（動作の程度）を調整する制御信号調整手段（図示せず）が備えられている。
【００８８】
ここで、この制御信号調整手段による制御レベル（動作の程度）の調整方法（▲１▼〜▲５▼）について説明する。
▲１▼受信側（受信装置５および表現装置７）のユーザが受信装置５または表現装置７に備えられているダイヤル等を調整することによって、手動で「制御レベル（動作の程度）」を係数倍して調整する。
【００８９】
▲２▼受信側（受信装置５および表現装置７）のユーザが受信装置５または表現装置７に備えられているダイヤル等を調整することによって、手動で「制御レベル（動作の程度）」の上限値・下限値を設定する。
▲３▼受信側（受信装置５および表現装置７）の装置内に予め設定された情報によって、「制御レベル（動作の程度）」を自動的に係数倍する、または、「制御レベル（動作の程度）」の上限値・下限値を自動的に設定する。
【００９０】
▲４▼▲１▼〜▲３▼の組み合わせによって、制御レベル（動作の程度）」を手動で、または自動的に係数倍する、または、「制御レベル（動作の程度）」の上限値・下限値を手動で、または自動的に設定する。
▲５▼▲４▼に加え、非線形型関数を「制御レベル（動作の程度）」に乗算するなどして、表現装置７において効果的な演出を行えるように、または過度の表現を抑制できるようにする。
【００９１】
さらにここで、表現装置７の「制御レベル（動作の程度）」を調整する際には、受信装置５で受信された抽象情報、または、表現装置７の符号化軸変換手段１７で得られた抽象情報ベクトルを参照する（適用する）。または、抽象情報再構成手段１９で動作指示が決定された後に、抽象情報ベクトルの大きさに応じて、「制御レベル（動作の程度）」を変化させる。
記憶手段２３は、軸変換辞書、多次元空間情報を記憶すると共に、表現装置７の動作履歴を記憶しているものである。
【００９２】
（受信装置および表現装置の別の構成）
次に、図２を参照して、受信側が別の構成である抽象情報符号化再構成システム１Ａについて説明する。なお、図１に示した抽象情報符号化再構成システム１と同じ構成については、同じ符号を付しその説明を省略する。
この図２に示すように、抽象情報符号化再構成システム１Ａの受信側は、受信装置５Ａと、表現装置７Ａ１、７Ａ２とを備えている。抽象情報符号化再構成システム１Ａでは、受信装置５Ａに符号化軸変換手段１７と抽象情報再構成手段１９とが備えられており、表現装置７Ａ１、７Ａ２に抽象情報表現手段２１と記憶手段２３とが備えられている。つまり、この抽象情報符号化再構成システム１Ａでは、各表現装置７Ａ１、７Ａ２を受信装置５Ａで集中して制御するものであって、各表現装置７Ａ１、７Ａ２を協同させて、送信側の抽象情報符号化装置３から送信された抽象情報に基づいた感興（その場の雰囲気）を表現することができる。
【００９３】
（抽象情報符号化装置の動作）
次に、図３に示すフローチャートを参照して、抽象情報符号化装置３の動作を説明する。なお、この図３に示したフローチャートは、抽象情報符号化装置３の動作の最も基本的なものである。
【００９４】
まず、抽象情報入力手段９で、測定センサによって測定データがされる（採取環境センシング）と共に、台本等のテキストデータが電子データ化されて、人の感情（感覚の程度）を表す電子データが抽出される（感情オーサリング）（Ｓ１）。これら測定データまたはテキストデータが入力データとされる。
【００９５】
そして、抽象情報符号化手段１１で、入力データが、任意の個数（Ｎ個）の符号化軸による抽象的な表現および抽象的な表現の程度を示した値からなる抽象情報に符号化され、この抽象情報がＸＭＬ等で記述される（Ｓ２）。そして、送出手段１３で、入力データと抽象情報が同期化されて、伝送信号として送出される（Ｓ３）。
【００９６】
すなわち、この抽象情報符号化装置３では、抽象情報入力手段９で、測定データまたはテキストデータが入力される。抽象情報符号化手段１１で、入力されたデータが、対になる抽象的な表現からなる任意個数の符号化軸上の、抽象的な表現の度合いを示した値に基づいた位置によって表される抽象情報に符号化されて、この抽象情報と入力データとが同期化されて伝送信号として送出手段１３で出力される。このため、この伝送信号を受信した受信側で抽象情報が解釈可能であるならば、単純な数値で表される入力データのみを送信した場合よりも、より柔軟に、より多様に、受信側に備えられている機器を制御することができる。また入力データから想起される「場の状況（場の雰囲気）」が受信側で再構成することができる。
【００９７】
（受信装置および表現装置の動作）
次に、図４に示すフローチャートを参照して、受信側（受信装置５および表現装置７）の動作について説明する。なお、この図４に示したフローチャートは、受信側（受信装置５および表現装置７）の動作の最も基本的なものである。
【００９８】
まず、受信装置５の受信手段１５で、伝送信号が受信され、伝送信号をの抽象情報（図中、２×Ｎ次元ベクトル）を復号して、表現装置７へ出力する（Ｓ１１）。
表現装置７の符号化軸変換手段１７で、記憶手段２３に記憶されている軸変換辞書（図中、記憶データ）を参照して抽象情報を、抽象情報ベクトル（図中、Ｍ次元ベクトル）に変換し、抽象情報再構成手段１９へ出力する（Ｓ１２）。
【００９９】
そして、抽象情報再構成手段１９で、記憶手段２３に記憶されている多次元空間情報（図中、記憶データ）を参照して表現装置７の動作指示に変換して、抽象情報表現手段２１へ出力する（Ｓ１３）。すると、抽象情報表現手段２１で、動作指示に基づいて制御信号に変換し、表現装置７を動作させて、抽象情報に基づいた感興が表現される（Ｓ１４）。
【０１００】
すなわち、受信装置５の受信手段１５で抽象情報が取得される。表現装置７の符号化軸変換手段１７で抽象情報に基づいて制御機器の特性に合うように、符号化軸および値が変換される。そして、抽象情報再構成手段１９で、抽象的な表現が解釈され、この抽象的な表現の解釈結果（動作指示）に基づいて、抽象情報表現手段２１で、当該表現装置７を制御する制御信号が生成され、表現装置７によって抽象情報に基づいた感興が表現される。このため、送信側から送信される伝送信号に抽象情報が含まれていれば、受信側に備えられる表現装置７に応じて、より柔軟に、より多様に、送信側における「場の状況（場の雰囲気）」を受信側で再構成することができる。
【０１０１】
（抽象情報ベクトル、多次元空間の例）
次に、図５を参照して、抽象情報ベクトルおよび多次元空間の例について説明する。図５は、図１に示した抽象情報符号化再構成システム１の受信側の表現装置７ａが「犬型ロボット」であり、表現装置７ｂが「猫型ロボット」であった場合の抽象情報ベクトルと、多次元空間とを例示したものである。図５において、「ａ」が抽象情報ベクトルを示している。
【０１０２】
この図５（ａ）に示すように、表現装置７ａが犬型ロボットである場合には、符号化軸＜あつい−さむい＞および符号化軸＜うれしい−かなしい＞に対し、多次元空間は一点破線で示した領域に分割され（分割領域が割振られ）、多次元空間の分割領域の動作指示は、「走り回る」、「ぐだぐだする」、「へこたれる」、「くよくよする」、「部屋に帰る」、「変化なし」といった具合になっている。
【０１０３】
また、図５（ｂ）に示すように、表現装置７ａが猫型ロボットである場合には、符号化軸＜あつい−さむい＞および符号化軸＜うれしい−かなしい＞に対し、多次元空間は一点破線で示した領域に分割され（分割領域が割振られ）、多次元空間の分割領域の動作指示は、「集会を開く」、「昼寝する」、「ダレる」、「泣く」、「コタツで丸くなる」、「変化なし」といった具合になっている。
【０１０４】
つまり、この図５（ａ）、図５（ｂ）からわかるように、同じ抽象情報ベクトルａが入力されたとしても、犬型ロボットは「走り回る」し、猫型ロボットは「昼寝する」ことになり、この抽象情報符号化再構成システム１では、送信側から送信された情報（抽象情報を含む）を受信側でより柔軟に、より多様に解釈し表現することができる。
【０１０５】
以上、一実施形態に基づいて本発明を説明したが、本発明はこれに限定されるものではない。
抽象情報符号化装置３、受信装置５、表現装置７（受信装置５および表現装置７を抽象情報再構成装置とする）の各構成の処理を過程（ステップ）とみなした抽象情報符号化方法、抽象情報再構成方法と捉えることができ、さらに各構成の処理を一般的なプログラム言語で記述した抽象情報符号化プログラム、抽象情報再構成プログラムと捉えることができる。これらの場合、抽象情報符号化装置３、受信装置５、表現装置７と同様の効果が得られる。
【０１０６】
【発明の効果】
請求項１、２、４記載の発明によれば、測定データ、テキストデータのいずれかが入力され、符号化軸上で、抽象表現の度合いを示した抽象表現度合値からなる抽象情報に符号化されて出力されるので、この抽象情報を受信側が解釈できるのであれば、送信側で単純な一義的にしか解釈することができないデータを送信するよりも、受信側でより柔軟に、より多様に、受信側に備えられている機器を制御することができる。
【０１０７】
請求項３記載の発明によれば、再構成時刻情報付加手段によって、抽象情報に基づいた抽象表現または対極抽象表現によって視聴者に伝達される雰囲気を表現する時刻を示す再構成時刻情報が付加される。このため、受信側において抽象情報を利用する時刻を送信側で設定することができる。
【０１０９】
請求項５、６、１０記載の発明によれば、取得された抽象情報に基づいて制御機器の特性に合うように、符号化軸および抽象情報度合値が変換され、抽象表現が解釈され、この抽象表現の解釈結果に基づいて、制御機器を制御する制御信号が生成され、制御信号を受信した制御機器によって、抽象情報に基づいた抽象表現または対極抽象表現によって視聴者に伝達される雰囲気を表現することができる。つまり、より柔軟に、より多様に、送信側における「場の状況（場の雰囲気）」を受信側で再構成することができる。そして、送信側から送信された抽象情報の符号化軸および抽象表現度合値が、受信側において一致していない場合（送信側と受信側とで共有されていない場合）に符号化軸変換手段で変換することができるので、送信側の裁量で自由に抽象情報が設定されたとしても、送信側における「場の状況（場の雰囲気）」を受信側で再構成することができる。
【０１１１】
請求項７記載の発明によれば、抽象情報再構成手段で、符号化軸および抽象表現度合値が、制御機器の特性に応じて、多次元空間上の分割された領域毎に設定された動作パターンに対応するように解釈される。多次元空間の領域に設定する動作パターンに応じて、より柔軟に、より多様に制御機器を制御することができる。
【０１１２】
請求項８記載の発明によれば、多次元空間領域設定手段で、分割された領域毎の動作パターンを設定することができる。なお、この多次元空間領域設定手段では、多次元空間を張る次元数の増減（符号化軸上の抽象表現、対極抽象表現の追加・削除）や、多次元空間内に設定される、分割された領域数の増減（動作パターンの追加・削除）や、多次元空間内に設定される、分割された領域それぞれの位置、大きさおよび領域境界面の変更（動作パターンの判別式の変更）を行うことができる。このため、制御機器の動作パターンをユーザの好みに応じて随時変更設定することができる。
【０１１４】
請求項９記載の発明によれば、制御信号調整手段で、制御信号のレベルを調整することができる。つまり、抽象情報に基づく、制御機器の動作の程度を調整することができる。
【図面の簡単な説明】
【図１】本発明による一実施の形態である抽象情報符号化再構成システムのブロック図である。
【図２】図１に示した抽象情報符号化再構成システムの受信側を変更したシステムのブロック図である。
【図３】抽象情報符号化装置の基本動作を説明したフローチャートである。
【図４】受信装置および表現装置の基本動作を説明したフローチャートである。
【図５】抽象情報ベクトルと多次元空間の例を示した説明図である。
【符号の説明】
１、１Ａ  抽象情報符号化再構成システム
３  抽象情報符号化装置
５、５Ａ  受信装置
７、７ａ、７ｂ、７Ａ１、７Ａ２  表現装置
９  抽象情報入力手段
１１  抽象情報符号化手段
１３  送出手段
１５  受信手段
１７  符号化軸変換手段
１９  抽象情報再構成手段
２１  抽象情報表現手段
２３  記憶手段
【図１】
0004227357.tif 000003
【図２】
0004227357.tif 000004
【図３】
0004227357.tif 000005
【図４】
0004227357.tif 000006
【図５】
0004227357.tif 000007